(57)【要約】  【課題】  映像の表示方向を見栄えよく円滑に切り替えることができる携帯端末装置及び表示切替方法を提供すること。  【解決手段】  携帯電話機１０は、映像信号を供給する映像信号供給部１１と、電波を送受信するアンテナ１２と、アンテナ１２が送受信する信号を伝送する伝送部１３と、映像信号の入出力処理を行うＣＰＵ１４と、符号化された信号を復号化するデコーダ１５と、ディスプレイ２０が指向する姿勢方向を検出するディスプレイ姿勢検出部１６と、映像の表示を制御するディスプレイ制御部１７と、所定の映像効果を施す映像効果処理部１８と、映像信号を記憶する表示用フレームメモリ１９と、映像を表示するディスプレイ２０とを備える。【選択図】  図２
2006254350.tif 000002
【特許請求の範囲】
【請求項１】
第１の座標及び第２の座標を含む複数の座標により映像を表示する表示手段と、第１の姿勢方向及び第２の姿勢方向に指向した前記表示手段の姿勢方向を検出する姿勢方向検出手段と、前記姿勢方向検出手段の検出結果に基づき、前記表示手段の姿勢方向が前記第１の姿勢方向と前記第２の姿勢方向との間で切り替わる際に所定の映像効果を前記映像に施す映像効果処理手段とを備え、
前記表示手段は、前記第１の姿勢方向に指向した状態では前記第１の座標により前記映像を表示し、前記第２の姿勢方向に指向した状態では前記第２の座標により前記映像を表示することを特徴とする携帯端末装置。
【請求項２】
映像信号を供給する信号供給部を少なくとも１つ含む映像信号供給手段を備え、
前記映像効果処理手段は、少なくとも１つの前記信号供給部から供給された映像信号に対して前記所定の映像効果を施すことを特徴とする請求項１に記載の携帯端末装置。
【請求項３】
所定のフレーム間隔で映像信号を入力する映像信号入力手段を備え、
前記映像効果処理手段は、前記表示手段が前記第１の姿勢方向と前記第２の姿勢方向との間で切り替わる際に入力されるフレームの映像信号に基づく映像に対して前記所定の映像効果を施すことを特徴とする請求項１又は２に記載の携帯端末装置。
【請求項４】
前記映像効果処理手段は、前記第１の座標による映像及び前記第２の座標による映像に対して前記所定の映像効果を施すことを特徴とする請求項３に記載の携帯端末装置。
【請求項５】
前記第１の座標による映像は、前記第１の姿勢方向に指向した状態において最後に入力されたフレームの映像信号に基づく映像であることを特徴とする請求項４に記載の携帯端末装置。
【請求項６】
前記映像効果処理手段は、前記映像の回転、拡大及び縮小のうちの少なくとも１つの処理を行う回転拡大縮小部を備えたことを特徴とする請求項１から請求項５までのいずれかに記載の携帯端末装置。
【請求項７】
前記映像効果処理手段は、所定の複数の映像を合成する映像合成部を備えたことを特徴とする請求項１から請求項６までのいずれかに記載の携帯端末装置。
【請求項８】
前記表示手段は、前記映像効果が施された映像を前記姿勢方向に応じた座標により表示することを特徴とする請求項１から請求項７までのいずれかに記載の携帯端末装置。
【請求項９】
前記所定の映像効果が施される映像は、文字及び図形の映像を含むことを特徴とする請求項１から請求項８までのいずれかに記載の携帯端末装置。
【請求項１０】
前記所定の映像効果が施された映像信号を伝送する伝送手段を備えたことを特徴とする請求項１から請求項９までのいずれかに記載の携帯端末装置。
【請求項１１】
複数のカメラと、前記表示手段の姿勢方向が前記第１の姿勢方向と前記第２の姿勢方向との間で切り替わる際に前記複数のカメラが撮影したカメラ映像を切り替えるカメラ映像切替手段とを備え、
前記映像効果処理手段は、前記カメラ映像が切り替わる際に前記所定の映像効果を前記カメラ映像に施すことを特徴とする請求項１から請求項１０までのいずれかに記載の携帯端末装置。
【請求項１２】
第１の姿勢方向及び第２の姿勢方向に指向した表示手段の姿勢方向を検出するステップと、前記第１の姿勢方向に指向した状態では第１の座標による映像を前記表示手段に表示するステップと、前記第２の姿勢方向に指向した状態では第２の座標による映像を前記表示手段に表示するステップと、前記表示手段が前記第１の姿勢方向と前記第２の姿勢方向との間で切り替わる際に所定の映像効果を前記映像に施すステップとを含むことを特徴とする表示切替方法。
【発明の詳細な説明】
【技術分野】
【０００１】
本発明は、ディスプレイに表示される映像の表示方向を切り替える機能を備えた携帯端末装置及び表示切替方法に関する。
【背景技術】
【０００２】
従来、この種の携帯端末装置としては、例えば、特許文献１及び特許文献２に示すようなものが知られている。
【０００３】
特許文献１に示されたものは、縦長のディスプレイと、ディスプレイの幅の狭い横方向をＸ軸、幅の広い縦方向をＹ軸とする第１座標平面を基準として映像信号を展開表示する横モード表示ドライブ回路と、ディスプレイの幅の狭い横方向をＹ軸、幅の広い縦方向をＸ軸とする第２座標平面を基準として映像信号を展開表示する縦モード表示ドライブ回路と、横モード表示ドライブ回路及び縦モード表示ドライブ回路のいずれかを選択して表示方向を切り替える縦横表示切替部とを備え、縦横表示切替部が、横モードの映像と縦モードの映像とを切り替えることによって、横モード又は縦モードの映像をディスプレイに表示することができるようになっている。
【０００４】
一方、特許文献２に示されたものは、縦長から横長に回転可能な表示ユニットと、表示ユニットの回転角度を検出する回転検出用スイッチと、表示ユニットの回転角度に応じて表示ユニットの表示を切り替える表示切替部とを備え、表示ユニットの回転角度が所定の角度閾値を超えたことを回転検出用スイッチが検出することによって、表示ユニットに表示される映像を縦長の映像から横長の映像に切り替えることができるようになっている。
【０００５】
【特許文献１】特開２００３−２４９９８４号公報（第２−３頁、第１図）
【特許文献２】特開２００４−１３５３６０号公報（第４−５頁、第２図）
【発明の開示】
【発明が解決しようとする課題】
【０００６】
しかしながら、特許文献１に示されたものは、縦表示及び横表示のみしか行えず、表示方向の切り替え前後で映像が突然切り替わってしまって不連続になるので、表示方向の切り替え時の見栄えが悪いという問題があった。
【０００７】
また、特許文献２に示されたものは、表示ユニットの回転角度が所定の角度閾値を超えたときに映像の表示方向を切り替えるだけであり、角度閾値の前後で映像が突然切り替わってしまって不連続になるので、表示方向の切り替え時の見栄えが悪いという問題があった。
【０００８】
本発明は、このような問題を解決するためになされたものであり、映像の表示方向を見栄えよく円滑に切り替えることができる携帯端末装置及び表示切替方法を提供するものである。
【課題を解決するための手段】
【０００９】
本発明の携帯端末装置は、第１の座標及び第２の座標を含む複数の座標により映像を表示する表示手段と、第１の姿勢方向及び第２の姿勢方向に指向した前記表示手段の姿勢方向を検出する姿勢方向検出手段と、前記姿勢方向検出手段の検出結果に基づき、前記表示手段の姿勢方向が前記第１の姿勢方向と前記第２の姿勢方向との間で切り替わる際に所定の映像効果を前記映像に施す映像効果処理手段とを備え、前記表示手段は、前記第１の姿勢方向に指向した状態では前記第１の座標により前記映像を表示し、前記第２の姿勢方向に指向した状態では前記第２の座標により前記映像を表示する構成を有している。
【００１０】
この構成により、本発明の携帯端末装置は、姿勢方向検出手段は、表示手段が指向する姿勢方向を検出し、映像効果処理手段は、表示手段の姿勢方向が第１の姿勢方向と第２の姿勢方向との間で切り替わる際に所定の映像効果を映像に施す構成としたので、所定の映像効果が施された映像を表示手段に表示することができ、映像の表示方向を見栄えよく円滑に切り替えることができる。
【００１１】
また、本発明の携帯端末装置は、映像信号を供給する信号供給部を少なくとも１つ含む映像信号供給手段を備え、前記映像効果処理手段は、少なくとも１つの前記信号供給部から供給された映像信号に対して前記所定の映像効果を施す構成を有している。
【００１２】
この構成により、本発明の携帯端末装置は、映像効果処理手段は、少なくとも１つの信号供給部から供給された映像信号に対して所定の映像効果を施すので、映像の表示方向を見栄えよく円滑に切り替えることができる。
【００１３】
さらに、本発明の携帯端末装置は、所定のフレーム間隔で映像信号を入力する映像信号入力手段を備え、前記映像効果処理手段は、前記表示手段が前記第１の姿勢方向と前記第２の姿勢方向との間で切り替わる際に入力されるフレームの映像信号に基づく映像に対して前記所定の映像効果を施す構成を有している。
【００１４】
この構成により、本発明の携帯端末装置は、映像効果処理手段は、表示手段が第１の姿勢方向と第２の姿勢方向との間で切り替わる際に入力されるフレームの映像信号に基づく映像に対して所定の映像効果を施すので、所定の映像効果が施された動映像を表示手段に表示することができ、映像の表示方向を見栄えよく円滑に切り替えることができる。
【００１５】
さらに、本発明の携帯端末装置は、前記映像効果処理手段は、前記第１の座標による映像及び前記第２の座標による映像に対して前記所定の映像効果を施す構成を有している。
【００１６】
この構成により、本発明の携帯端末装置は、映像効果処理手段は、第１の座標による映像及び第２の座標による映像に対して所定の映像効果を施すので、第１の座標による映像と第２の座標による映像とを円滑に連続して表示することができる。
【００１７】
さらに、本発明の携帯端末装置は、前記第１の座標による映像は、前記第１の姿勢方向に指向した状態において最後に入力されたフレームの映像信号に基づく映像である構成を有している。
【００１８】
この構成により、本発明の携帯端末装置は、第１の姿勢方向に指向した状態において最後に入力されたフレームの映像を静止映像として表示手段に表示し、この静止映像に所定の映像効果を施すことができるので、映像の表示方向を見栄えよく円滑に切り替えることができる。
【００１９】
さらに、本発明の携帯端末装置は、前記映像効果処理手段は、前記映像の回転、拡大及び縮小のうちの少なくとも１つの処理を行う回転拡大縮小部を備えた構成を有している。
【００２０】
この構成により、本発明の携帯端末装置は、表示手段の姿勢方向が第１の姿勢方向と第２の姿勢方向との間で切り替わる際に、映像を回転、拡大又は縮小する映像効果を施すことができ、映像の表示方向を見栄えよく円滑に切り替えることができる。
【００２１】
さらに、本発明の携帯端末装置は、前記映像効果処理手段は、所定の複数の映像を合成する映像合成部を備えた構成を有している。
【００２２】
この構成により、本発明の携帯端末装置は、表示手段の姿勢方向が第１の姿勢方向と第２の姿勢方向との間で切り替わる際に、所定の複数の映像が合成された合成映像を表示手段に表示することができるので、映像の表示方向を見栄えよく円滑に切り替えることができる。
【００２３】
さらに、本発明の携帯端末装置は、前記表示手段は、前記映像効果が施された映像を前記姿勢方向に応じた座標により表示する構成を有している。
【００２４】
この構成により、本発明の携帯端末装置は、表示手段は、映像効果が施された映像を姿勢方向に応じた座標により表示するので、表示手段が第１の姿勢方向と第２の姿勢方向との間で切り替わる際に、映像の表示方向を見栄えよく円滑に切り替えることができる。
【００２５】
さらに、本発明の携帯端末装置は、前記所定の映像効果が施される映像は、文字及び図形の映像を含む構成を有している。
【００２６】
この構成により、本発明の携帯端末装置は、メールの文字列やアイコン等の映像の表示方向を見栄えよく円滑に切り替えることができる。
【００２７】
さらに、本発明の携帯端末装置は、前記所定の映像効果が施された映像信号を伝送する伝送手段を備えた構成を有している。
【００２８】
この構成により、本発明の携帯端末装置は、映像の表示方向が見栄えよく円滑に切り替えられた映像信号を他の携帯端末装置に伝送することができるので、映像信号が伝送される端末装置において映像の表示方向を見栄えよく円滑に切り替えることができる。
【００２９】
さらに、本発明の携帯端末装置は、複数のカメラと、前記表示手段の姿勢方向が前記第１の姿勢方向と前記第２の姿勢方向との間で切り替わる際に前記複数のカメラが撮影したカメラ映像を切り替えるカメラ映像切替手段とを備え、前記映像効果処理手段は、前記カメラ映像が切り替わる際に前記所定の映像効果を前記カメラ映像に施す構成を有している。
【００３０】
この構成により、本発明の携帯端末装置は、映像効果処理手段は、カメラ映像が切り替わる際に所定の映像効果をカメラ映像に施すので、カメラ映像が切り替わる際に表示手段に表示される映像の表示方向を見栄えよく円滑に切り替えることができる。
【００３１】
さらに、本発明の表示切替方法は、第１の姿勢方向及び第２の姿勢方向に指向した表示手段の姿勢方向を検出するステップと、前記第１の姿勢方向に指向した状態では第１の座標による映像を前記表示手段に表示するステップと、前記第２の姿勢方向に指向した状態では第２の座標による映像を前記表示手段に表示するステップと、前記表示手段が前記第１の姿勢方向と前記第２の姿勢方向との間で切り替わる際に所定の映像効果を前記映像に施すステップとを含む構成を有している。
【００３２】
この構成により、本発明の表示切替方法は、表示手段が第１の姿勢方向と第２の姿勢方向との間で切り替わる際に所定の映像効果を映像に施すことができるので、映像の表示方向を見栄えよく円滑に切り替えることができる。
【発明の効果】
【００３３】
本発明は、映像の表示方向を見栄えよく円滑に切り替えることができるという効果を有する携帯端末装置及び表示切替方法を提供することができるものである。
【発明を実施するための最良の形態】
【００３４】
以下、本発明の実施の形態について図面を用いて説明する。
【００３５】
（第１の実施の形態）
まず、本発明の第１の実施の形態の携帯端末装置の構成について説明する。なお、本実施の形態の携帯端末装置を図１に示すような折りたたみ式の携帯電話機に適用した例を挙げて説明する。
【００３６】
図１には、本実施の形態の折りたたみ式の携帯電話機１０が長方形のディスプレイ２０に映像を表示した表示状態が示されている。図１において、ディスプレイ２０の長辺の方向が重力方向とほぼ一致する方向（以下「縦方向」という。）となる状態で映像が表示された縦表示状態Ｓ１１と、ディスプレイ２０の長辺の方向が重力方向とほぼ直交する方向（以下「横方向」という。）となる状態で映像が表示された横表示状態Ｓ１２、Ｓ１５及びＳ１６と、縦表示状態Ｓ１１から横表示状態Ｓ１５又はＳ１６に至る間における遷移表示状態Ｓ１３及びＳ１４とが示されている。なお、縦表示状態Ｓ１１と、横表示状態Ｓ１２、Ｓ１５及びＳ１６との間で映像が切り替わる際の状態を以下「遷移状態」という。
【００３７】
図示のように、縦表示状態Ｓ１１においては、ディスプレイ２０の短辺方向をＸ１軸、長辺方向をＹ１軸とした座標により横長の映像が表示されている。また、横表示状態Ｓ１２、Ｓ１５及びＳ１６においては、ディスプレイ２０の短辺方向をＹ２軸、長辺方向をＸ２軸とした座標により横長の映像が表示されている。以下、図１に示されたＸ１軸及びＹ１軸による座標を第１の座標といい、Ｘ２軸及びＹ２軸による座標を第２の座標という。
【００３８】
本実施の形態の携帯電話機１０は、図２に示すように、映像信号を供給する映像信号供給部１１と、電波を送受信するアンテナ１２と、アンテナ１２が送受信する信号を伝送する伝送部１３と、映像信号の入出力処理を行うＣＰＵ（Ｃｅｎｔｒａｌ  Ｐｒｏｃｅｓｓｉｎｇ  Ｕｎｉｔ）１４と、符号化された信号を復号化するデコーダ１５と、ディスプレイ２０が指向する姿勢方向を検出するディスプレイ姿勢検出部１６と、映像の表示を制御するディスプレイ制御部１７と、所定の映像効果を施す映像効果処理部１８と、映像信号を記憶する表示用フレームメモリ１９と、映像を表示するディスプレイ２０とを備えている。
【００３９】
なお、伝送部１３は、本発明の伝送手段を構成している。また、ＣＰＵ１４は、本発明の映像信号入力手段を構成している。また、ディスプレイ姿勢検出部１６は、本発明の姿勢方向検出手段を構成している。また、映像効果処理部１８は、本発明の映像効果処理手段を構成している。また、ディスプレイ２０は、本発明の表示手段を構成している。
【００４０】
映像信号供給部１１は、カメラ１１ａ及び映像ファイル１１ｂをそれぞれ１つ以上備えている。カメラ１１ａは、映像信号を符号化して出力するようになっている。映像ファイル１１ｂは、例えば所定の静止映像、動映像、アイコン映像等の符号化されたデータで構成されている。なお、映像信号供給部１１は、本発明の映像信号供給手段を構成し、カメラ１１ａ及び映像ファイル１１ｂは、本発明の信号供給部を構成している。
【００４１】
アンテナ１２は、例えばロッドアンテナで構成され、伝送部１３は、変調回路、復調回路、フィルタ回路等によって構成されている。
【００４２】
ＣＰＵ１４は、図示しないＲＯＭ（Ｒｅａｄ−Ｏｎｌｙ  Ｍｅｍｏｒｙ）に格納されたプログラムと、図示しないＲＡＭ（Ｒａｎｄｏｍ−Ａｃｃｅｓｓ  Ｍｅｍｏｒｙ）に格納されたデータや演算結果とに基づいて動作するようになっており、映像信号供給部１１又は伝送部１３から映像信号を入力してデコーダ１５に出力したり、映像信号供給部１１と伝送部１３との間で映像信号を授受したりするようになっている。
【００４３】
デコーダ１５は、映像信号供給部１１から出力される符号化された映像信号を復号化するようになっている。
【００４４】
ディスプレイ姿勢検出部１６は、例えば傾斜センサを備え、ディスプレイ２０が指向する姿勢方向を検出するようになっている。ここで、姿勢方向とは、例えば、図１に示されたディスプレイ２０の長辺が指向する方向をいい、ディスプレイ姿勢検出部１６は、ディスプレイ２０の長辺方向と重力方向との角度（以下「姿勢角度」という。）を検知することによってディスプレイ２０の姿勢方向を検出するようになっている。
【００４５】
ディスプレイ制御部１７は、ディスプレイ姿勢検出部１６によって検出されたディスプレイ２０の姿勢方向に応じた座標で映像をディスプレイ２０に表示するよう映像効果処理部１８を制御するようになっている。
【００４６】
例えば、ディスプレイ２０の表示状態が図１に示された縦表示状態Ｓ１１の場合、ディスプレイ制御部１７は、第１の座標で映像を表示するよう映像効果処理部１８を制御するようになっている。
【００４７】
また、例えば、ディスプレイ２０の表示状態が図１に示された横表示状態Ｓ１２、Ｓ１５又はＳ１６の場合、ディスプレイ制御部１７は、第２の座標で映像を表示するよう映像効果処理部１８を制御するようになっている。
【００４８】
また、例えば、ディスプレイ２０の表示状態が図１に示された遷移表示状態Ｓ１３又はＳ１４の場合、ディスプレイ制御部１７は、予め定められた座標で映像を表示するよう映像効果処理部１８を制御するようになっている。なお、ディスプレイ制御部１７は、後述の遷移時間のデータを予め記憶するメモリ（図示省略）を備えている。
【００４９】
映像効果処理部１８は、ディスプレイ制御部１７から出力される制御信号に基づき、映像信号供給部１１及び伝送部１３の少なくとも一方から出力される映像信号に所定の映像効果を遷移時間内に施すようになっている。
【００５０】
ここで、所定の映像効果とは、映像に与える視覚的効果をいい、例えば、映像を回転、拡大、縮小する処理や、フェードイン、フェードアウト、クロスフェード、オーバーラップ合成、ページめくり表示、ワイプ、モザイク等による映像の切替処理、又はこれらの処理を組み合わせた処理等をいう。これらの映像効果を映像に施す際には、ディスプレイ制御部１７は、各映像効果を施すための制御データを出力し、映像効果処理部１８は、この制御データに基づいて各映像効果を施すようになっている。
【００５１】
例えば、ディスプレイ制御部１７は、映像を回転する映像効果を施す際は、映像の回転角度を制御データとして出力し、映像をフェードインする映像効果を施す際は、映像の透過度を制御データとして出力する。なお、これらの制御データを予めメモリに記憶しておき、ディスプレイ制御部１７が制御データを使用する構成としてもよい。
【００５２】
また、遷移時間とは、映像が切り替わってから、この切り替わった映像を人間が認識できるまでに要する時間をいう。例えば、縦表示の映像から横表示の映像に瞬時に切り替えた場合、一般的に人間は、映像が切り替わった直後に映像の表示内容を認識することはできず、映像が切り替わってから切り替わった映像を認識するまでに数秒間程度の時間を要する。この時間を遷移時間という。遷移時間は、例えば２〜３秒間程度の時間として設定される。
【００５３】
また、映像効果処理部１８は、映像を回転、拡大又は縮小する回転拡大縮小部１８ａと、映像の切替処理や合成処理を行う映像効果合成部１８ｂと、合成された映像信号を記憶する合成用フレームメモリ１８ｃとを備えている。ここで、回転拡大縮小部１８ａ及び映像効果合成部１８ｂは、それぞれ、本発明の回転拡大縮小部及び映像合成部を構成している。
【００５４】
具体的には、回転拡大縮小部１８ａは、デコーダ１５から映像信号を入力し、この映像信号に基づく映像を回転、拡大又は縮小して映像効果合成部１８ｂに出力するようになっている。なお、回転拡大縮小部１８ａは、入力された映像信号に基づく映像を常に回転、拡大又は縮小するわけでなく、例えば、ディスプレイ制御部１７から回転角度を０度に設定する制御信号が入力された場合は映像の回転は行わない。また、回転拡大縮小部１８ａは、映像の回転、拡大又は縮小のうちの一つのみを実行するものではなく、それぞれを組み合わせた処理を行うこともできるようになっている。
【００５５】
また、映像効果合成部１８ｂは、例えば現在の時刻情報を表した文字列や電波受信強度状態を示すアイコンの映像等（以下「アイコン映像等」という。）と、回転拡大縮小部１８ａによって処理された映像とを合成したり、回転した映像や合成した映像等に対してクロスフェードやページめくり表示等による映像の切替処理を行ったりするようになっている。
【００５６】
また、合成用フレームメモリ１８ｃは、映像効果合成部１８ｂによって合成された映像信号や映像効果処理部１８に入力された映像信号を記憶するようになっている。
【００５７】
表示用フレームメモリ１９は、例えばＲＡＭで構成され、映像効果処理部１８によって映像効果が施された映像信号を記憶するようになっている。ディスプレイ２０は、例えば液晶ディスプレイで構成され、表示用フレームメモリ１９に記憶された映像信号に基づく映像を表示するようになっている。
【００５８】
次に、本実施の形態の携帯電話機１０の動作について説明する。なお、図３（ａ）〜図３（ｃ）に例示された映像効果をそれぞれ第１〜第３の映像効果とし、図１に示された縦表示状態Ｓ１１と横表示状態Ｓ１２との間で携帯電話機１０の姿勢方向が切り替わる際の動作を例に挙げて説明する。
【００５９】
（第１の映像効果の処理例）
図３（ａ）において、ディスプレイ２０に縦表示された縦表示用の映像３１ａと、横表示された横表示用の映像３１ｃと、縦表示用の映像３１ａから横表示用の映像３１ｃに至る遷移状態における遷移表示用の映像３１ｂとが示されている。遷移表示用の映像３１ｂは、遷移時間内に入力される動映像が遷移時間の経過とともに回転されながら再生されるものである。以下、図４に示されたフローチャートを用いて動作を説明する。
【００６０】
まず、ディスプレイ姿勢検出部１６によって、傾斜センサが検知した姿勢角度に基づいて表示状態を切り替えるか否かが判断される（ステップＳ２１）。例えば、予め姿勢角度の閾値を設定しておき、傾斜センサが検知した姿勢角度が閾値を超えたとき、ディスプレイ姿勢検出部１６によって、表示状態を切り替えると判断される。
【００６１】
ステップＳ２１において、表示状態を切り替えると判断された場合は、ディスプレイ姿勢検出部１６によって、表示状態が縦表示状態Ｓ１１（図１参照）から横表示状態Ｓ１２（図１参照）に切り替わるか否かが判断され（ステップＳ２２）、表示状態を切り替えると判断されなかった場合は、ステップＳ２１を繰り返す。
【００６２】
ステップＳ２２において、表示状態が縦表示状態Ｓ１１から横表示状態Ｓ１２に切り替わると判断された場合は、ディスプレイ制御部１７によって、映像の回転角度及び拡大率が設定される（ステップＳ２３）。
【００６３】
具体的には、図１に示された縦表示状態Ｓ１１から横表示状態Ｓ１２に遷移する場合は、姿勢角度は、ほぼ０度からほぼ９０度に変化することになるので、ディスプレイ制御部１７は、例えば回転角度を５度に設定し、縦表示用の映像３１ａを回転角度５度ずつのステップで回転しながら徐々に拡大して、遷移時間が終了したときに横表示用の映像３１ｃとなるよう拡大率を設定する。
【００６４】
さらに、回転拡大縮小部１８ａによって、ディスプレイ制御部１７が設定した回転角度及び拡大率で、入力されたフレームの映像信号に基づく映像と、アイコン等とがそれぞれ回転及び拡大された後、映像効果合成部１８ｂによって、両者が合成される（ステップＳ２４）。
【００６５】
次いで、回転拡大縮小部１８ａによって、合成された映像の信号が表示用フレームメモリ１９に格納される（ステップＳ２５）。
【００６６】
次いで、ディスプレイ２０によって、表示用フレームメモリ１９から映像信号が読み出され、映像が表示される（ステップＳ２６）。
【００６７】
そして、ディスプレイ制御部１７によって、遷移時間内か否かが判断され（ステップＳ２７）、遷移時間内と判断された場合は、ステップＳ２４からステップＳ２７までの処理が、フレーム毎に入力される動映像に対して繰り返して実行され、遷移時間内と判断されなかった場合は処理を終了する。
【００６８】
一方、ステップＳ２２において、表示状態が横表示状態Ｓ１２から縦表示状態Ｓ１１に切り替わると判断された場合は、ディスプレイ制御部１７によって、映像の回転角度及び縮小率が設定される（ステップＳ３１）。具体的には、図１に示された横表示状態Ｓ１２から縦表示状態Ｓ１１に遷移する場合は、姿勢角度は、ほぼ９０度からほぼ０度に変化することになるので、ディスプレイ制御部１７は、例えば回転角度を５度に設定し、横表示用の映像３１ｃを５度のステップで回転しながら徐々に縮小して、予め定められた遷移時間を経過した時点で縦表示用の映像３１ａとなるよう縮小率を設定する。
【００６９】
さらに、回転拡大縮小部１８ａによって、ディスプレイ制御部１７が設定した回転角度及び縮小率で、入力されたフレームの映像信号に基づく映像と、アイコン等とがそれぞれ回転及び縮小された後、映像効果合成部１８ｂによって、両者が合成される（ステップＳ３２）。
【００７０】
そして、前述のステップＳ２５からステップＳ２７に対応したステップＳ３３からステップＳ３５までの処理が実行される。
【００７１】
なお、ステップＳ２４からステップＳ２７までの処理を繰り返す場合は、ステップＳ２４において合成した映像の映像信号を合成する毎に合成用フレームメモリ１８ｃに記憶させ、合成用フレームメモリ１８ｃに記憶された映像信号を用いて、映像の回転及び拡大を行うようにしてもよい。ステップＳ３１からステップＳ３５までの処理を繰り返す場合も同様である。
【００７２】
また、動映像及びアイコン等を回転、拡大し、合成する例を挙げて説明したが、本発明はこれに限定されるものではなく、動映像のみを回転、拡大してもよいし、任意の１つのフレームの映像を静止映像として回転、拡大してもよい。
【００７３】
（第２の映像効果の処理例）
図３（ｂ）において、ディスプレイ２０に縦表示された縦表示用の映像３２ａと、横表示された横表示用の映像３２ｃと、縦表示用の映像３２ａから横表示用の映像３２ｃに至る遷移状態における遷移表示用の映像３２ｂとが示されている。遷移表示用の映像３２ｂは、遷移時間の経過とともにクロスフェード効果による処理で映像が表示されるものである。クロスフェード効果とは、例えば、縦表示用の映像が遷移時間の経過とともにフェードアウトしながら、横表示用の映像が遷移時間の経過とともに縦表示用の映像に重なってフェードインしていくことをいう。以下、図５に示されたフローチャートを用いて動作を説明する。なお、図５においては、フェードアウトをＦＯ、フェードインをＦＩと表記している。
【００７４】
まず、ディスプレイ姿勢検出部１６によって、傾斜センサが検知した姿勢角度に基づいて表示状態を切り替えるか否かが判断される（ステップＳ２１）。
【００７５】
ステップＳ２１において、表示状態を切り替えると判断された場合は、ディスプレイ姿勢検出部１６によって、表示状態が縦表示状態Ｓ１１（図１参照）から横表示状態Ｓ１２（図１参照）に切り替わるか否かが判断され（ステップＳ２２）、表示状態を切り替えると判断されなかった場合は、ステップＳ２１を繰り返す。
【００７６】
ステップＳ２２において、表示状態が縦表示状態Ｓ１１から横表示状態Ｓ１２に切り替わると判断された場合は、ディスプレイ制御部１７によって、縦表示状態Ｓ１１において映像効果処理部１８に最後に入力されたフレームの映像データが回転拡大縮小部１８ａを介して合成用フレームメモリ１８ｃに格納される（ステップＳ４１）。
【００７７】
さらに、ディスプレイ制御部１７によって、縦表示状態Ｓ１１から横表示状態Ｓ１２に切替表示するための映像の回転角度及び拡大率と、映像をフェードイン、フェードアウトする際の透過度の初期値及びステップ値とが設定される（ステップＳ４２）。
【００７８】
具体的には、図１に示された縦表示状態Ｓ１１から横表示状態Ｓ１２に遷移する場合は、姿勢角度は、ほぼ０度からほぼ９０度に変化することになるので、ディスプレイ制御部１７は、横表示用の映像を得るために回転角度を９０度に設定し、縦表示状態Ｓ１１での映像のサイズと、横表示状態Ｓ１２での映像のサイズとから拡大率を設定する。
【００７９】
また、透過度は、例えば２５６段階で設定され、ある映像に対し、背景映像が全く透過しない「０」から背景映像が全部透過する「２５５」の数値で指定される。映像をフェードアウトする際の透過度の初期値は例えば「０」に設定され、ステップ値は「＋１」に設定される。また、映像をフェードインする際の透過度の初期値は例えば「２５５」に設定され、ステップ値は「−１」に設定される。
【００８０】
引き続き、映像効果合成部１８ｂによって、合成用フレームメモリ１８ｃに格納された最終フレームの映像信号が読み出され、この映像信号に基づいた縦表示用の映像と、アイコン映像等とが合成され、ステップＳ４２において設定された透過度でフェードアウトするための映像透過処理が行われる（ステップＳ４３）。
【００８１】
一方、このステップＳ４３と並行して、回転拡大縮小部１８ａによって、ディスプレイ制御部１７が設定した回転角度及び拡大率で、縦表示用の映像とアイコン等とがそれぞれ回転及び拡大された後、映像効果合成部１８ｂによって、両者が合成され、ステップＳ４２において設定された透過度でフェードインするための映像透過処理が行われる（ステップＳ４４）。
【００８２】
引き続き、映像効果合成部１８ｂによって、ステップＳ４３で生成された映像と、ステップＳ４４で生成された映像とが合成され（ステップＳ４５）、合成された映像の信号は、表示用フレームメモリ１９に格納される（ステップＳ４６）。
【００８３】
次いで、ディスプレイ２０によって、表示用フレームメモリ１９から映像信号が読み出され、クロスフェード処理された映像が表示される（ステップＳ４７）。
【００８４】
そして、ディスプレイ制御部１７によって、遷移時間内か否かが判断される（ステップＳ４８）。ここで、遷移時間内と判断された場合は、ステップＳ４３からステップＳ４８までの処理が、ステップＳ４３及びステップＳ４４において透過度を所定のステップ値で変更しながら繰り返して実行され、ディスプレイ２０に表示された縦表示用の静止映像はフェードアウトし、横表示用の動映像はフェードインする。なお、ステップＳ４８において、遷移時間内と判断されなかった場合は処理を終了する。
【００８５】
一方、ステップＳ２２において、表示状態が横表示状態Ｓ１２から縦表示状態Ｓ１１に切り替わると判断された場合は、ディスプレイ制御部１７によって、横表示状態Ｓ１２において映像効果処理部１８に入力された最終フレームの映像データが回転拡大縮小部１８ａを介して合成用フレームメモリ１８ｃに格納される（ステップＳ５１）。
【００８６】
さらに、ディスプレイ制御部１７によって、横表示状態Ｓ１２から縦表示状態Ｓ１１に切替表示するための映像の回転角度及び縮小率と、映像をフェードイン、フェードアウトする際の透過度の初期値及びステップ値とが設定される（ステップＳ５２）。
【００８７】
具体的には、図１に示された横表示状態Ｓ１２から縦表示状態Ｓ１１に遷移する場合は、姿勢角度は、ほぼ９０度からほぼ０度に変化することになるので、ディスプレイ制御部１７は、縦表示用の映像を得るために回転角度を９０度に設定し、縦表示状態Ｓ１１での映像のサイズと、横表示状態Ｓ１２での映像のサイズとから縮小率を設定する。また、透過度は、前述のステップＳ４２における設定と同様に設定される。
【００８８】
引き続き、映像効果合成部１８ｂによって、合成用フレームメモリ１８ｃに格納された最終フレームの映像信号が読み出され、この映像信号に基づいた横表示用の映像と、アイコン映像等とが合成され、ステップＳ５２において設定された透過度でフェードアウトするための映像透過処理が行われる（ステップＳ５３）。
【００８９】
一方、このステップＳ５３と並行して、回転拡大縮小部１８ａによって、ディスプレイ制御部１７が設定した回転角度及び縮小率で、横表示用の映像とアイコン等とがそれぞれ回転及び縮小された後、映像効果合成部１８ｂによって、両者が合成され、ステップＳ５２において設定された透過度でフェードインするための映像透過処理が行われる（ステップＳ５４）。
【００９０】
引き続き、映像効果合成部１８ｂによって、ステップＳ５３で生成された映像と、ステップＳ５４で生成された映像とが合成され（ステップＳ５５）、以下、前述のステップＳ４６からステップＳ４８に対応したステップＳ５６からステップＳ５８までの処理が実行される。
【００９１】
なお、静止映像をフェードアウトし、動映像をフェードインする例を挙げて説明したが、本発明はこれに限定されるものではなく、例えば動映像をフェードアウトし、静止映像をフェードインする構成としてもよい。
【００９２】
（第３の映像効果の処理例）
図３（ｃ）において、ディスプレイ２０に縦表示された縦表示用の映像３３ａと、横表示された横表示用の映像３３ｃと、縦表示用の映像３３ａから横表示用の映像３３ｃに至る遷移状態における遷移表示用の映像３３ｂとが示されている。遷移表示用の映像３３ｂは、遷移時間の経過とともに、縦表示用の動映像が縮小されながら横表示用の動映像が拡大される処理（以下「縮小拡大処理」という。）によるものである。以下、図６に示されたフローチャートを用いて動作を説明する。
【００９３】
まず、ディスプレイ姿勢検出部１６によって、傾斜センサが検知した姿勢角度に基づいて表示状態を切り替えるか否かが判断される（ステップＳ２１）。
【００９４】
ステップＳ２１において、表示状態を切り替えると判断された場合は、ディスプレイ姿勢検出部１６によって、表示状態が縦表示状態Ｓ１１（図１参照）から横表示状態Ｓ１２（図１参照）に切り替わるか否かが判断され（ステップＳ２２）、表示状態を切り替えると判断されなかった場合は、ステップＳ２１を繰り返す。
【００９５】
ステップＳ２２において、表示状態が縦表示状態Ｓ１１から横表示状態Ｓ１２に切り替わると判断された場合は、ディスプレイ制御部１７によって、縦表示用の映像を横表示用の映像にするための回転角度と、縮小拡大処理に用いる縦表示用の映像の縮小率及び横表示用の映像の拡大率とが設定される（ステップＳ６１）。
【００９６】
具体的には、図１に示された縦表示状態Ｓ１１から横表示状態Ｓ１２に遷移する場合は、姿勢角度は、ほぼ０度からほぼ９０度に変化することになるので、ディスプレイ制御部１７は、横表示用の映像を得るために回転角度を９０度に設定する。また、縮小拡大処理に用いる縦表示用の映像の縮小率は、図３に示すように、縦表示用の動映像が点Ｄに向かって円滑に縮小されるよう複数のステップ値で設定される。また、縮小拡大処理に用いる横表示用の映像の拡大率は、横表示用の動映像が点Ｂに向かって円滑に拡大されるよう複数のステップ値で設定される。
【００９７】
引き続き、映像効果合成部１８ｂによって、ディスプレイ制御部１７が設定した縮小率で縦表示用の映像が縮小され、この映像とアイコン映像等とが合成される（ステップＳ６２）。一方、回転拡大縮小部１８ａによって、ディスプレイ制御部１７が設定した回転角度及び拡大率で、横表示用の映像とアイコン等とがそれぞれ回転及び拡大された後、映像効果合成部１８ｂによって、両者が合成される（ステップＳ６３）。
【００９８】
引き続き、映像効果合成部１８ｂによって、ステップＳ６２で生成された映像と、ステップＳ６３で生成された映像とが合成され（ステップＳ６４）、合成された映像の信号は、表示用フレームメモリ１９に格納される（ステップＳ６５）。ステップＳ６４における合成は、例えば、縦表示用の映像の上に横表示用の映像を重ねる合成や、縦表示用の映像及び横表示用の映像にそれぞれ透過率を設定して重ねる合成等がある。
【００９９】
次いで、ディスプレイ２０によって、表示用フレームメモリ１９から映像信号が読み出され、縮小拡大処理された映像が表示される（ステップＳ６６）。
【０１００】
そして、ディスプレイ制御部１７によって、遷移時間内か否かが判断される（ステップＳ６７）。ここで、遷移時間内と判断された場合は、ステップＳ６２からステップＳ６７までの処理が、ステップＳ６２及びステップＳ６３において縮小率及び拡大率を変更しながら繰り返して実行され、遷移時間の経過とともに、ディスプレイ２０に表示された縦表示用の動映像が縮小されながら横表示用の動映像が拡大される。一方、ステップＳ６７において、遷移時間内と判断されなかった場合は処理を終了する。
【０１０１】
一方、ステップＳ２２において、表示状態が横表示状態Ｓ１２から縦表示状態Ｓ１１に切り替わると判断された場合は、ディスプレイ制御部１７によって、縦表示状態Ｓ１１と横表示状態Ｓ１２との間で切替表示するための映像の回転角度と、縮小拡大処理に用いる横表示用の映像の縮小率及び縦表示用の映像の拡大率とが設定される（ステップＳ７１）。
【０１０２】
具体的には、図１に示された縦表示状態Ｓ１１から横表示状態Ｓ１２に遷移する場合は、姿勢角度は、ほぼ９０度からほぼ０度に変化することになるので、ディスプレイ制御部１７は、縦表示用の映像を得るために回転角度を９０度に設定する。また、縮小拡大処理に用いる横表示用の映像の縮小率及び縦表示用の映像の拡大率は、図３（ｃ）に示された矢印の示す方向とは逆方向になるよう設定される。すなわち、横表示用の映像の縮小率は、横表示用の動映像が点Ａに向かって縮小されるよう設定され、縦表示用の映像の拡大率は、縦表示用の動映像が点Ｃに向かって拡大されるよう設定される。
【０１０３】
引き続き、映像効果合成部１８ｂによって、ディスプレイ制御部１７が設定した縮小率で横表示用の映像が縮小され、この映像とアイコン映像等とが合成される（ステップＳ７２）。一方、回転拡大縮小部１８ａによって、ディスプレイ制御部１７が設定した回転角度及び拡大率で、縦表示用の映像及びアイコン等がそれぞれ回転及び拡大された後、映像効果合成部１８ｂによって、両者が合成される（ステップＳ７３）。
【０１０４】
引き続き、映像効果合成部１８ｂによって、ステップＳ７２で生成された映像と、ステップＳ７３で生成された映像とが合成され（ステップＳ７４）、以下、前述のステップＳ６５からステップＳ６７に対応したステップＳ７５からステップＳ７７までの処理が実行される。
【０１０５】
なお、縮小拡大処理を縦表示用の動映像及び横表示用の動映像で実施する例を挙げて説明したが、本発明はこれに限定されるものではなく、例えば縦表示用の静止映像及び横表示用の静止映像で縮小拡大処理を実施する構成としてもよい。
【０１０６】
また、縮小拡大処理は、図３（ｃ）の映像３３ｂに示された映像の配置位置や拡大及び縮小方向に限定されるものではない。
【０１０７】
以上のように、本実施の形態の携帯電話機１０によれば、ディスプレイ姿勢検出部１６は、ディスプレイ２０が指向する姿勢方向を検出し、映像効果処理部１８は、ディスプレイ２０の姿勢方向が遷移する遷移時間内において所定の映像効果を施す構成としたので、映像の表示方向を見栄えよく円滑に切り替えることができる。
【０１０８】
なお、前述の実施の形態において、遷移時間を２〜３秒間程度の時間として予め設定しておく構成を例に挙げて説明したが、本発明はこれに限定されるものではなく、例えば使用者が携帯電話機１０の姿勢方向を変更するのに要する平均的な時間を予め遷移時間として設定する構成としても同様の効果が得られる。また、ディスプレイ２０が独立して物理的に回転する構成のものでは、ディスプレイ姿勢検出部１６がディスプレイ２０の回転角度を検出する構成として回転開始から回転完了までの時間を遷移時間としてもよい。
【０１０９】
また、前述の実施の形態において、図１に示された縦表示状態Ｓ１１と横表示状態Ｓ１２との間において映像効果を施す構成を例に挙げて説明したが、本発明はこれに限定されるものではなく、例えば縦表示状態Ｓ１１と横表示状態Ｓ１５との間において映像効果を施す構成としても同様の効果が得られる。
【０１１０】
また、前述の実施の形態において、所定の映像効果を動映像や静止映像に施す構成を例に挙げて説明したが、本発明はこれに限定されるものではなく、メールの文字列やアイコン等の画像に対して所定の映像効果を施す場合でも同様の効果が得られる。
【０１１１】
また、前述の実施の形態において、携帯端末装置を折りたたみ式の携帯電話機に適用した例を挙げて説明したが、本発明はこれに限定されるものではなく、ディスプレイやキーボード等が一体の筐体に納められた一体型の携帯電話機でもよいし、携帯電話以外の携帯端末装置でもよい。
【０１１２】
（第２の実施の形態）
まず、本発明の第２の実施の形態の携帯電話機の構成について説明する。
【０１１３】
図７に示すように、本実施の形態の携帯電話機４０は、映像信号を供給する映像信号供給部４１と、電波を送受信するアンテナ４２と、アンテナ４２が送受信する信号を伝送する伝送部４３と、映像信号の入出力処理を行うＣＰＵ４４と、符号化された信号を復号化するデコーダ４５と、ディスプレイ５０が指向する姿勢方向を検出するディスプレイ姿勢検出部４６と、映像の表示を制御するディスプレイ制御部４７と、所定の映像効果を施す映像効果処理部４８と、映像信号を記憶する表示用フレームメモリ４９と、映像を表示するディスプレイ５０と、映像信号を符号化するエンコーダ５１とを備えている。
【０１１４】
なお、本実施の形態の携帯電話機４０は、本発明の第１の実施の形態に係る携帯電話機１０（図２参照）の映像信号供給部１１を映像信号供給部４１に変更し、エンコーダ５１を追加したものなので、映像信号供給部４１及びエンコーダ５１以外の構成の説明は省略する。
【０１１５】
映像信号供給部４１は、カメラ４１ａ及び映像ファイル４１ｂをそれぞれ１つ以上備えている。カメラ４１ａは、映像信号を符号化して出力するようになっている。映像ファイル４１ｂは、例えば所定の静止映像、動映像、アイコン映像等の符号化されたデータで構成されている。また、映像信号供給部４１は、映像ファイル４１ｂのデータをＣＰＵ４４に出力するとともに、ＣＰＵ４４からの映像データを入力し、映像ファイル４１ｂとして保存するようになっている。なお、映像信号供給部４１は、本発明の映像信号供給手段を構成し、カメラ４１ａ及び映像ファイル４１ｂは、本発明の信号供給部を構成している。
【０１１６】
エンコーダ５１は、表示用フレームメモリ４９に格納された映像データを読み出して符号化し、ＣＰＵ４４に出力するようになっている。
【０１１７】
次に、本実施の形態の携帯電話機４０の動作について、図８を用いて説明する。なお、図１に示された縦表示状態Ｓ１１と横表示状態Ｓ１２との間で携帯電話機４０の姿勢方向が切り替わる際に、図４に示された第１の映像効果の処理を施す場合の動作を例に挙げて説明する。ただし、図４に示されたステップと同様なステップは同じ符号を付し、説明を省略する。
【０１１８】
ステップＳ２２において、表示状態が縦表示状態Ｓ１１から横表示状態Ｓ１２に切り替わると判断された場合は、以下の処理がなされる。
【０１１９】
ステップＳ２５において表示用フレームメモリ４９に格納された映像データは、ディスプレイ５０に送信されるとともに、エンコーダ５１によって読み出されて符号化される（ステップＳ８１）。符号化された映像データはＣＰＵ４４によって多重化され、この多重化された映像データが映像信号供給部４１によって保存され、又は伝送部４３によって伝送される（ステップＳ８２）。ここで、符号化した映像データを多重化せずに保存又は伝送してもよい。
【０１２０】
なお、ステップＳ２２において、表示状態が横表示状態Ｓ１２から縦表示状態Ｓ１１に切り替わると判断された場合は、縦画像表示用処理がなされる（ステップＳ８３）。この縦画像表示用処理は、ステップＳ２３からステップＳ２７までの処理と、ステップＳ８１及びステップＳ８２の処理とを含む処理であるので説明を省略する。
【０１２１】
以上のように、本実施の形態の携帯電話機４０によれば、エンコーダ５１は、表示用フレームメモリ４９に格納された映像データを読み出して符号化し、伝送部４３は、符号化された映像データを変調して伝送する構成としたので、映像データを他の携帯端末装置に伝送する場合でも、映像データが伝送される携帯端末装置において映像の表示方向を見栄えよく円滑に切り替えることができる。
【０１２２】
また、本実施の形態の携帯電話機４０によれば、エンコーダ５１は、表示用フレームメモリ４９に格納された映像データを読み出して符号化し、映像信号供給部４１は、符号化された映像データを保存する構成としたので、表示状態を切り替えるという簡単な操作によって所望の映像効果を施した映像を容易に取得することができる。
【０１２３】
例えば、撮影された動映像を編集して回転させたい場合、従来は映像編集用のソフトウェアで動映像を再生し、第１の時刻から第２の時刻までの間の回転対称の動映像をコマンドに従って所望の角度に回転させて取得していたが、本発明によれば、動映像を再生しながら回転対称の動映像の範囲において携帯電話機４０を所望の角度に回転させるという簡単な操作だけで回転映像を取得することができる。
【０１２４】
なお、前述の実施の形態において、図４に示された第１の映像効果の処理に係る動作を例に挙げて説明したが、本発明はこれに限定されるものではなく、本発明の第１の実施の形態に係る携帯電話機１０において説明した映像効果を施す場合でも同様の効果が得られる。
【０１２５】
また、携帯電話機４０の姿勢方向が、図１に示された縦表示状態Ｓ１１と横表示状態Ｓ１２との間で切り替わる際の動作について説明したが、本発明はこれに限定されるものではなく、図１に示された縦表示状態Ｓ１１から横表示状態Ｓ１５又はＳ１６に至る間における遷移表示状態Ｓ１３又はＳ１４において映像効果を施す場合でも同様の効果が得られる。
【０１２６】
（第３の実施の形態）
まず、本発明の第３の実施の形態の携帯端末装置の構成について説明する。なお、本実施の形態の携帯端末装置を図９に示すような折りたたみ式の携帯電話機に適用した例を挙げて説明する。
【０１２７】
図９には、本実施の形態の折りたたみ式の携帯電話機６０が長方形のディスプレイ７０に映像を表示した表示状態が示されている。図９において、ディスプレイ７０の長辺の方向が縦方向となる状態で映像が表示された縦表示状態Ｓ９１と、ディスプレイ７０の長辺の方向が横方向となる状態で映像が表示された横表示状態Ｓ９２、Ｓ９５及びＳ９６と、縦表示状態Ｓ９１から横表示状態Ｓ９５又はＳ９６に至る間における遷移表示状態Ｓ９３及びＳ９４とが示されている。
【０１２８】
携帯電話機６０は、ディスプレイ７０の上部に設けられたレンズＣ１と、ディスプレイ７０の裏面に設けられたレンズＣ２と、ヒンジ部に設けられたレンズＣ３と、キーボードの裏面に設けられたレンズＣ４とを備えている。
【０１２９】
縦表示状態Ｓ９１において、レンズＣ１で撮像された電話機操作者の映像が表示されている。また、横表示状態Ｓ９５及びＳ９６において、それぞれ、レンズＣ３及びＣ４で撮像された被写体の映像が表示されている。なお、横表示状態Ｓ９５においては、携帯電話機６０を被写体側から見た状態Ｓ９５ａ及び電話機操作者側から見た状態Ｓ９５ｂが示されている。また、横表示状態Ｓ９６においては、携帯電話機６０を被写体側から見た状態Ｓ９６ａ及び電話機操作者側から見た状態Ｓ９６ｂが示されている。また、横表示状態Ｓ９２は携帯電話機６０を被写体側から見た状態であり、電話機操作者側から見たディスプレイ７０上の映像は、状態Ｓ９５ｂ及び状態Ｓ９６ｂに示された映像と同様である。
【０１３０】
本実施の形態の携帯電話機６０は、図１０に示すように、映像信号を供給する映像信号供給部６１と、電波を送受信するアンテナ６２と、アンテナ６２が送受信する信号を伝送する伝送部６３と、映像信号の入出力処理を行うＣＰＵ６４と、符号化された信号を復号化するデコーダ６５と、ディスプレイ７０が指向する姿勢方向を検出するディスプレイ姿勢検出部６６と、映像の表示を制御するディスプレイ制御部６７と、所定の映像効果を施す映像効果処理部６８と、映像信号を記憶する表示用フレームメモリ６９と、映像を表示するディスプレイ７０と、映像信号を符号化するエンコーダ７１と、カメラを切り替えるカメラ切替制御部７２とを備えている。
【０１３１】
映像効果処理部６８は、映像を回転、拡大又は縮小する回転拡大縮小部６８ａと、映像の切替処理や合成処理を行う映像効果合成部６８ｂと、合成された映像信号を記憶する合成用フレームメモリ６８ｃとを備えている。
【０１３２】
なお、本実施の形態の携帯電話機６０は、本発明の第１の実施の形態に係る携帯電話機１０（図２参照）の映像信号供給部１１を映像信号供給部６１に変更し、エンコーダ７１及びカメラ切替制御部７２を追加したものなので、携帯電話機１０と同様の構成の説明は省略する。
【０１３３】
映像信号供給部６１は、カメラ６１ａ〜６１ｄ及び１つ以上の映像ファイル６１ｅを備えている。カメラ６１ａ〜６１ｄは、それぞれ、図９に示されたレンズＣ１、Ｃ２、Ｃ３及びＣ４を備え、撮影した映像信号を符号化して出力するようになっている。映像ファイル６１ｅは、例えば所定の静止映像、動映像、アイコン映像等の符号化されたデータで構成されている。また、映像信号供給部６１は、映像ファイル６１ｅのデータをＣＰＵ６４に出力するとともに、ＣＰＵ６４からの映像データを入力し、映像ファイル６１ｅとして保存するようになっている。なお、映像信号供給部６１は、本発明の映像信号供給手段を構成し、カメラ６１ａ〜カメラ６１ｄ及び映像ファイル６１ｅは、それぞれ、本発明の信号供給部を構成している。
【０１３４】
カメラ６１ａは、携帯電話機６０が縦表示状態Ｓ９１にあるとき、レンズＣ１によって電話機操作者を撮影するようになっている。カメラ６１ｂは、携帯電話機６０が横表示状態Ｓ９２にあるとき、レンズＣ２によって被写体を撮影するようになっている。カメラ６１ｃは、携帯電話機６０が遷移表示状態Ｓ９３を介して横表示状態Ｓ９５になったとき、レンズＣ３によって被写体を撮影するようになっている。カメラ６１ｄは、携帯電話機６０が遷移表示状態Ｓ９４を介して横表示状態Ｓ９６になったとき、レンズＣ４によって被写体を撮影するようになっている。
【０１３５】
エンコーダ７１は、表示用フレームメモリ６９に格納された映像データを読み出して符号化し、ＣＰＵ６４に出力するようになっている。
【０１３６】
カメラ切替制御部７２は、ディスプレイ姿勢検出部６６が検出したディスプレイ７０の姿勢方向に基づいてカメラを切り替えるようになっている。例えば、携帯電話機６０が縦表示状態Ｓ９１から横表示状態Ｓ９２になった場合、カメラ切替制御部７２は、カメラ６１ａからカメラ６１ｂに切り替えるようになっている。なお、カメラ切替制御部７２は、本発明のカメラ映像切替手段を構成している。また、カメラ６１ａ〜６１ｄは、カメラ切替制御部７２によって切り替えられるときにのみ動作状態になるものに限定されない。例えば、カメラの切り替え前後における一定時間内で複数のカメラが同時に動作状態になる構成としてもよい。
【０１３７】
次に、本実施の形態の携帯電話機６０の動作について、図１１を用いて説明する。なお、図９に示された縦表示状態Ｓ９１と横表示状態Ｓ９２との間で携帯電話機６０の姿勢方向が切り替わる際に、図５に示された第２の映像効果の処理を施す場合の動作を例に挙げて説明する。ただし、図５に示されたステップと同様なステップは同じ符号を付し、説明を省略する。
【０１３８】
ステップＳ２２において、表示状態が縦表示状態Ｓ９１から横表示状態Ｓ９２に切り替わると判断された場合は、以下の処理がなされる。
【０１３９】
ステップＳ４１において、カメラ６１ａから出力された最終フレームの映像データが合成用フレームメモリ６８ｃに格納された後、カメラ切替制御部７２によって、カメラ６１ａからカメラ６１ｂに切り替えられ（ステップＳ１０１）、カメラ６１ｂからの映像データの入力が開始される。
【０１４０】
次いで、ディスプレイ制御部６７によって、縦表示状態Ｓ９１から横表示状態Ｓ９２に切替表示するための映像の回転角度及び拡大率と、映像をフェードイン、フェードアウトする際の透過度の初期値及びステップ値とが設定される（ステップＳ４２）。
【０１４１】
引き続き、映像効果合成部６８ｂによって、合成用フレームメモリ６８ｃに格納されたカメラ６１ａからの最終フレームの映像信号が読み出され、この映像信号に基づいた縦表示用の映像と、アイコン映像等とが合成され、ステップＳ４２において設定された透過度でフェードアウトするための映像透過処理が行われる（ステップＳ４３）。
【０１４２】
一方、このステップＳ４３と並行して、回転拡大縮小部６８ａによって、ディスプレイ制御部６７が設定した回転角度及び拡大率で、カメラ６１ｂからの映像信号に基づいた縦表示用の映像とアイコン等とがそれぞれ回転及び拡大された後、映像効果合成部６８ｂによって、両者が合成され、ステップＳ４２において設定された透過度でフェードインするための映像透過処理が行われる（ステップＳ４４）。
【０１４３】
引き続き、映像効果合成部６８ｂによって、ステップＳ４３で生成された映像と、ステップＳ４４で生成された映像とが合成され（ステップＳ４５）、合成された映像の信号は、表示用フレームメモリ６９に格納される（ステップＳ４６）。
【０１４４】
ステップＳ４６において表示用フレームメモリ６９に格納された映像データは、ディスプレイ７０に送信されるとともに、エンコーダ７１によって読み出されて符号化される（ステップＳ１０２）。符号化された映像データはＣＰＵ６４によって多重化され、この多重化された映像データが映像信号供給部６１によって保存され、又は伝送部６３によって伝送される（ステップＳ１０３）。ここで、符号化した映像データを多重化せずに保存又は伝送してもよい。
【０１４５】
なお、ステップＳ２２において、表示状態が横表示状態Ｓ９２から縦表示状態Ｓ９１に切り替わると判断された場合は、縦画像表示用処理がなされる（ステップＳ１０４）。この縦画像表示用処理は、ステップＳ４１からステップＳ４８までの処理（ステップＳ１０１を含む）と、ステップＳ１０２及びステップＳ１０３の処理とを含む処理と同等であるので説明を省略する。
【０１４６】
以上のように、本実施の形態の携帯電話機６０によれば、カメラ切替制御部７２は、ディスプレイ姿勢検出部６６が検出したディスプレイ７０の姿勢方向に基づいてカメラを切り替える構成としたので、カメラで撮影した映像をディスプレイ７０に表示した状態で映像の表示方向を変更する場合でも、映像の表示方向を見栄えよく円滑に切り替えることができる。
【０１４７】
また、本実施の形態の携帯電話機６０によれば、エンコーダ７１は、表示用フレームメモリ６９に格納された映像データを読み出して符号化し、伝送部６３は、符号化された映像データを変調して伝送する構成としたので、映像データを他の端末装置に伝送する場合でも、映像データが伝送される端末装置において映像の表示方向を見栄えよく円滑に切り替えることができる。
【０１４８】
また、本実施の形態の携帯電話機６０によれば、エンコーダ７１は、表示用フレームメモリ６９に格納された映像データを読み出して符号化し、映像信号供給部６１は、符号化された映像データを保存する構成としたので、表示状態を切り替えるという簡単な操作によって所望の映像効果を施した映像を容易に取得することができる。その結果、カメラの切り替え時において途切れなく円滑に移り変わる映像のデータを保存することができ、利用者は、保存された映像データを鑑賞したり、映像編集に活用したりすることができる。
【０１４９】
なお、前述の実施の形態において、図５に示された第２の映像効果の処理に係る動作を例に挙げて説明したが、本発明はこれに限定されるものではなく、本発明の第１の実施の形態に係る携帯電話機１０において説明した映像効果を施す場合でも同様の効果が得られる。
【０１５０】
また、携帯電話機６０の姿勢方向が、図９に示された縦表示状態Ｓ９１と横表示状態Ｓ９２との間で切り替わる際の動作について説明したが、本発明はこれに限定されるものではなく、図９に示された縦表示状態Ｓ９１から横表示状態Ｓ９５又はＳ９６に至る間における遷移表示状態Ｓ９３又はＳ９４において映像効果を施す場合でも同様の効果が得られる。
【０１５１】
また、携帯電話機６０に４つのカメラ及びレンズを設けた構成を例に挙げて説明したが、本発明はこれに限定されるものではなく、複数のカメラ及びレンズを備えたものであれば同様の効果が得られる。
【産業上の利用可能性】
【０１５２】
以上のように、本発明に係る携帯端末装置及び表示切替方法は、映像の表示方向を見栄えよく円滑に切り替えることができるという効果を有し、ディスプレイに表示される映像の表示方向を切り替える機能を備えた携帯端末装置及び表示切替方法等として有用である。
【図面の簡単な説明】
【０１５３】
【図１】本発明の第１の実施の形態の携帯電話機に係る表示状態の説明図
【図２】本発明の第１の実施の形態の携帯電話機のブロック図
【図３】（ａ）本発明の第１の実施の形態の携帯電話機に係る第１の映像効果の処理例を示す図  （ｂ）本発明の第１の実施の形態の携帯電話機に係る第２の映像効果の処理例を示す図  （ｃ）本発明の第１の実施の形態の携帯電話機に係る第３の映像効果の処理例を示す図
【図４】本発明の第１の実施の形態の携帯電話機に係る第１の映像効果の処理のフローチャート
【図５】本発明の第１の実施の形態の携帯電話機に係る第２の映像効果の処理のフローチャート
【図６】本発明の第１の実施の形態の携帯電話機に係る第３の映像効果の処理のフローチャート
【図７】本発明の第２の実施の形態の携帯電話機のブロック図
【図８】本発明の第２の実施の形態の携帯電話機に係る映像効果の処理のフローチャート
【図９】本発明の第３の実施の形態の携帯電話機に係る表示状態の説明図
【図１０】本発明の第３の実施の形態の携帯電話機のブロック図
【図１１】本発明の第３の実施の形態の携帯電話機に係る映像効果の処理のフローチャート
【符号の説明】
【０１５４】
１０、４０、６０  携帯電話機
１１、４１、６１  映像信号供給部（映像信号供給手段）
１１ａ、４１ａ、６１ａ、６１ｂ、６１ｃ、６１ｄ  カメラ（信号供給部）
１１ｂ、４１ｂ、６１ｅ  映像ファイル（信号供給部）
１２、４２、６２  アンテナ
１３、４３、６３  伝送部（伝送手段）
１４、４４、６４  ＣＰＵ（映像信号入力手段）
１５、４５、６５  デコーダ
１６、４６、６６  ディスプレイ姿勢検出部（姿勢方向検出手段）
１７、４７、６７  ディスプレイ制御部
１８、４８、６８  映像効果処理部（映像効果処理手段）
１８ａ、４８ａ、６８ａ  回転拡大縮小部
１８ｂ、４８ｂ、６８ｂ  映像効果合成部（映像合成部）
１８ｃ、４８ｃ、６８ｃ  合成用フレームメモリ
１９、４９、６９  表示用フレームメモリ
２０、５０、７０  ディスプレイ（表示手段）
３１ａ〜３１ｃ  第１の映像効果の処理の映像
３２ａ〜３２ｃ  第２の映像効果の処理の映像
３３ａ〜３３ｃ  第３の映像効果の処理の映像
５１、７１  エンコーダ
７２  カメラ切替制御部（カメラ映像切替手段）
Ｃ１、Ｃ２、Ｃ３、Ｃ４  レンズ
【図１】
2006254350.tif 000003
【図２】
2006254350.tif 000004
【図３】
2006254350.tif 000005
【図４】
2006254350.tif 000006
【図５】
2006254350.tif 000007
【図６】
2006254350.tif 000008
【図７】
2006254350.tif 000009
【図８】
2006254350.tif 000010
【図９】
2006254350.tif 000011
【図１０】
2006254350.tif 000012
【図１１】
2006254350.tif 000013